(57)【要約】  【課題】利用者が好きなカラオケ楽曲において、歌入着信メロディとして所望する歌唱部分について、これを容易かつ効率的に指定でき、これにより利用者が自分好みの楽曲の歌入着信メロディを独自にアレンジできると共に、その歌唱録音データを利用者毎に一括管理し、任意のカラオケ演奏端末にて、これを歌入着信メロディとして効率良く供給できるカラオケシステムの提供。  【解決手段】利用者が好きなカラオケ楽曲において、歌入着信メロディとして所望する歌入着信メロディ対象歌唱区間を自由に指定できるカラオケ演奏端末と、当該カラオケ演奏端末とネットワーク通信回線を介して接続され、利用者ＩＤとカラオケ楽曲の楽曲コードを紐付けした歌入着信メロディ対象歌唱区間の歌唱録音データを管理するカラオケホスト装置とを主体とし、当該ホスト装置で統括的に管理している歌唱録音データを任意のカラオケ演奏端末にダウンロードさせ、所定の携帯電話に転送可能に制御するシステムを構築した。【選択図】図４
2006017760.tif 000002
【特許請求の範囲】
【請求項１】
利用者による任意のカラオケ楽曲の歌唱音声に対する録音機能を有し、当該歌唱録音データから携帯電話の歌入着信メロディを供給できるカラオケ演奏端末と、当該カラオケ演奏端末とネットワーク通信回線を介して接続されたカラオケホスト装置とを主体としてなるカラオケシステムであって、
前記カラオケ演奏端末は、
（ア）利用者ＩＤを認識するための利用者認識手段と、
（イ）利用者が歌唱するカラオケ楽曲において、歌入着信メロディとして利用者が所望する歌入着信メロディ対象歌唱区間を指定可能に制御するための区間指定制御手段と、
（ウ）前記指定された歌入着信メロディ対象歌唱区間の歌唱音声を、当該楽曲の伴奏音楽と共に録音するための歌唱録音手段と、
（エ）前記利用者ＩＤと、当該利用者が歌唱したカラオケ楽曲の楽曲コードと、当該楽曲における当該利用者が指定した前記歌入着信メロディ対象歌唱区間データと、当該歌入着信メロディ対象歌唱区間の歌唱録音データからなる歌唱情報を、前記カラオケホスト装置にアップロードするためのデータアップロード手段と、を具備し、
前記カラオケホスト装置は、
（オ）前記アップロードされた歌唱情報を、利用者ＩＤ毎に作成された歌唱情報管理ファイルに記録するための歌唱情報管理手段と、
（カ）任意のカラオケ演奏端末からの前記利用者のダウンロード要求により、当該利用者ＩＤの歌唱情報管理ファイルに記録されている歌唱情報から、その歌唱録音データを当該カラオケ演奏端末にダウンロードするためのデータダウンロード手段と、を具備し、
前記カラオケ演奏端末は、さらに、
（キ）前記ダウンロードされた歌唱録音データを所定の記録部に記録するためのダウンロードデータ記録手段と、
（ク）前記記録されたダウンロード歌唱録音データを抽出し、適宜、所定の携帯電話に転送可能に制御するための転送制御手段と、
を具備してなるカラオケシステム。
【請求項２】
前記カラオケ演奏端末は、さらに、
（ケ）前記アップロードされる歌唱情報から、その歌唱録音データを試聴可能に制御するための試聴制御手段を具備してなる請求項１記載のカラオケシステム。
【発明の詳細な説明】
【技術分野】
【０００１】
本発明は、カラオケ楽曲の伴奏音楽に合わせて歌った利用者の歌唱音声を録音し、当該歌唱録音データを利用し、これを携帯電話の歌入着信メロディとして供給できるカラオケシステムに関する。
【背景技術】
【０００２】
近年、老若男女を問わず、携帯電話への需要が非常に高まり、幅広い人々の間で利用されている。そして、この携帯電話の着信通知手段として、現在では、着信メロディ（通称「着メロ」）が爆発的に普及している。この着信メロディは利用者の嗜好や個性を反映できる手段として愛用され、今では様々な種類のものがあるが、通常は、インターネットのモバイル専用サイトなどから提供されている。
【０００３】
ところで、近頃は特に若年層を中心として、携帯電話に様々なシールなどの飾り付けを施したり、ユニークなストラップを付けたりして自らの個性表現を求める人達が増加している。この点、着信メロディはバラエティーに富み、個性表現の代表的なものとなっている。しかしながら、通常、着信メロディは演奏される部分が予め決まっており、同一楽曲では同じフレーズが演奏される。同じフレーズが演奏されるということは、同一楽曲での個性表現について不都合であるばかりでなく、この場合では、同一場所で同一の演奏が他の携帯電話で行われた際には自他を混同してしまう。
【０００４】
そこで、従来、カラオケ演奏端末を用いて利用者の嗜好に合った好みのカラオケ楽曲のフレーズを任意に携帯電話の着信メロディとして採用できる技術が想到された。例えば、特許文献１では、カラオケ楽曲をダウンロードして再生でき、この中のサビ部分のフレーズを着信メロディとして設定できる技術が開示されている。また、特許文献２では、特定の楽曲の中で利用者が入力したい歌唱部分を選択し、当該歌唱部分のメロディを着信メロディとして入力可能な音符に変換できる楽譜データ変換装置（カラオケシステムへの組込み可能）が開示されている。
【特許文献１】特開２０００−２６７６５２号公報
【特許文献２】特開２００２−１６９５６８号公報
【０００５】
このように、現在では、カラオケ演奏端末を利用して、自分好みの着信メロディをアレンジできるようにする技術が確立されている。ところで、最近、この着信メロディと並行して歌入着信メロディ（通称「着歌」）が普及しつつある。歌入着信メロディは、実際に歌手が歌っている楽曲の一部のフレーズを取り出し、これを着信通知手段として利用するもので、好きな楽曲の歌唱入りの音楽を聴けるという意味では着信メロディよりもインパクトが強いため、今後、着信メロディと同様に定着し、普及する可能性は大きい。
【発明の開示】
【発明が解決しようとする課題】
【０００６】
さて、好きな楽曲を歌いたいという願望、特に、好きな楽曲のイントロ部やサビ部分などのフレーズを歌いたいという願望は自然と人の心の中にある。そして、究極の個性表現や自他混同の防止という観点からも、携帯電話の利用者本人が歌唱して作成した歌入着信メロディを利用するのが好ましく、潜在的な需要が大いにある。具体的には、好きな楽曲を利用者自らが歌唱することで、例え、同一楽曲で同じフレーズが演奏されても、歌唱音声が異なるため、個性表現や自他混同の防止という観点では着信メロディよりも好適である。しかしながら、従来では、各カラオケ楽曲に歌入着信メロディとして所望する歌唱部分を利用者が自由に指定でき、さらに、その歌唱部分をカラオケホスト装置にて利用者毎に管理すると共に、当該ホスト装置にネットワーク接続された任意のカラオケ演奏端末にて、これを歌入着信メロディとして効率良く供給できるようなカラオケシステムは想到されていなかった。
【０００７】
そこで、本発明は、上記不都合の解決を課題とし、具体的には、利用者が好きなカラオケ楽曲において、歌入着信メロディとして所望する歌唱部分について、これを容易かつ効率的に指定でき、これにより利用者が自分好みの楽曲の歌入着信メロディを独自にアレンジできると共に、その歌唱録音データを利用者毎に一括管理し、任意のカラオケ演奏端末にて、これを歌入着信メロディとして効率良く供給できるカラオケシステムの提供を課題とする。
【課題を解決するための手段】
【０００８】
上記課題を鑑み、本発明者らは、利用者が好きなカラオケ楽曲において、歌入着信メロディとして所望する歌入着信メロディ対象歌唱区間を自由に指定できるカラオケ演奏端末と、当該カラオケ演奏端末とネットワーク通信回線を介して接続され、利用者ＩＤとカラオケ楽曲の楽曲コードを紐付けした歌入着信メロディ対象歌唱区間の歌唱録音データを管理するカラオケホスト装置とを主体とし、当該ホスト装置で統括的に管理している歌唱録音データを任意のカラオケ演奏端末にダウンロードさせ、所定の携帯電話に転送可能に制御するシステムを構築することで、上記課題を解決できることを見出し、本発明のカラオケシステムを想到した。
【０００９】
すなわち、本発明の請求項１記載のカラオケシステムは、利用者による任意のカラオケ楽曲の歌唱音声に対する録音機能を有し、当該歌唱録音データから携帯電話の歌入着信メロディを供給できるカラオケ演奏端末と、当該カラオケ演奏端末とネットワーク通信回線を介して接続されたカラオケホスト装置とを主体としてなるカラオケシステムであって、
前記カラオケ演奏端末は、
（ア）利用者ＩＤを認識するための利用者認識手段と、
（イ）利用者が歌唱するカラオケ楽曲において、歌入着信メロディとして利用者が所望する歌入着信メロディ対象歌唱区間を指定可能に制御するための区間指定制御手段と、
（ウ）前記指定された歌入着信メロディ対象歌唱区間の歌唱音声を、当該楽曲の伴奏音楽と共に録音するための歌唱録音手段と、
（エ）前記利用者ＩＤと、当該利用者が歌唱したカラオケ楽曲の楽曲コードと、当該楽曲における当該利用者が指定した前記歌入着信メロディ対象歌唱区間データと、当該歌入着信メロディ対象歌唱区間の歌唱録音データからなる歌唱情報を、前記カラオケホスト装置にアップロードするためのデータアップロード手段と、を具備し、
前記カラオケホスト装置は、
（オ）前記アップロードされた歌唱情報を、利用者ＩＤ毎に作成された歌唱情報管理ファイルに記録するための歌唱情報管理手段と、
（カ）任意のカラオケ演奏端末からの前記利用者のダウンロード要求により、当該利用者ＩＤの歌唱情報管理ファイルに記録されている歌唱情報から、その歌唱録音データを当該カラオケ演奏端末にダウンロードするためのデータダウンロード手段と、を具備し、
前記カラオケ演奏端末は、さらに、
（キ）前記ダウンロードされた歌唱録音データを所定の記録部に記録するためのダウンロードデータ記録手段と、
（ク）前記記録されたダウンロード歌唱録音データを抽出し、適宜、所定の携帯電話に転送可能に制御するための転送制御手段と、
を具備してなることを特徴とする。
【００１０】
また、本発明の請求項２記載のカラオケシステムは、請求項１記載のカラオケシステムにおいて、前記カラオケ演奏端末は、さらに、
（ケ）前記アップロードされる歌唱情報から、その歌唱録音データを試聴可能に制御するための試聴制御手段を具備してなることを特徴とする。
【発明の効果】
【００１１】
本発明の請求項１記載のカラオケシステムによれば、利用者が歌入着信メロディとして所望する歌唱部分について、これを容易かつ効率的に指定できることから、利用者が自分好みの楽曲の歌入着信メロディを独自にアレンジでき、また、その歌入着信メロディ対象歌唱区間の歌唱録音データを、利用者毎にカラオケホスト装置にて一括管理でき、当該ホスト装置にネットワーク接続された任意のカラオケ演奏端末にて、これを歌入着信メロディとして効率良く供給できるなどといった効果を奏する。
【００１２】
さらに、本発明の請求項２記載のカラオケシステムによれば、請求項１記載のカラオケシステムにおいて、アップロードされる歌唱情報から、その歌唱録音データを試聴可能に制御することから、試聴による利用者自身の主観的な判断を加えることができ、これにより最終的に歌入着信メロディとして採用するか否かが決定できるといった効果を奏する。
【発明を実施するための最良の形態】
【００１３】
以下、本発明の歌入着信メロディ供給機能を有するカラオケシステムについての最適な実施例を挙げるが、先ず、請求項１記載の枕詞の構成について説明する。
【実施例１】
【００１４】
図１は本発明のカラオケシステムのネットワーク構成図である。本実施例のカラオケシステム（１）は、所謂「通信カラオケシステム」に基づくものであり、センタサーバ機能を有するカラオケホスト装置（Ｈ）を中心として、このホスト装置（Ｈ）とネットワーク通信回線（Ｎ）を介して接続された各地に分散した多数のカラオケ演奏端末（Ｐ，Ｐ…）からなる。各カラオケ演奏端末（Ｐ，Ｐ…）は、それぞれ利用者が所望するカラオケ楽曲の歌唱音声に対する録音機能を有すると共に、当該歌唱録音データから携帯電話の歌入着信メロディを供給できる機能を有する。利用者は何れのカラオケ演奏端末（Ｐ，Ｐ…）にても歌入着信メロディ用に作成した自らの歌唱録音データをカラオケホスト装置（Ｈ）にアップロードできると共に、何れのカラオケ演奏端末（Ｐ，Ｐ…）からも当該歌唱録音データをダウンロード要求でき、これを歌入着信メロディとして利用できる。
【００１５】
次に、図２に示す、本発明のカラオケシステムを構成するカラオケ演奏端末のブロック構成図と、図３に示す、歌入着信メロディ対象歌唱区間の指定手順を示す表示画面の変遷図と、図８に示す、区間指定インタフェイスを組み込んだカラオケマイクおよびリモコン装置の概略図に基づき、請求項１記載の（ア）から（エ）の構成について詳述する。
【００１６】
図２に示すように、本実施例のカラオケ演奏端末（Ｐ）は、装置全体の動作を制御する中央制御手段（２）や、これに接続された各種機器などから構成される。具体的には、中央制御手段（２）には、ＲＡＭ（３）、ハードディスク（４）、音源（８）、ミキサ（９）、ボーカルアダプタ（１３）、ＭＰＥＧデコーダ（１４）、合成回路（１５）、リモコン装置（６）、ＩＣカード読み取り／書き込み装置（３１）などが接続されている。なお、利用者ＩＤについては、本実施例では、このＩＣカード読み取り／書き込み装置（３１）を利用者認識手段とし、自らの利用者ＩＤをログイン入力して認識される。なお、本実施例では、このように、利用者ＩＤが付されたＩＣカードを用いているが、本発明はこれに限らず、例えば、パスワードの入力や指紋や声紋などの生体識別機能に依る機構のものであっても構わない。
【００１７】
ここで、各機能手段について少々説明する。先ず、音源（８）は、中央制御手段（２）が実行する楽曲シーケンサ（１９）の処理によって入力された楽曲データに応じて楽音信号を形成する。形成された楽音信号はミキサ（９）に入力され、このミキサ（９）は、音源（８）が発生した複数の楽音信号やカラオケマイク（５）と、Ａ／Ｄコンバータ（１２）を介して入力された利用者の歌唱音声信号を適当なバランスでミキシングする。ミキシングされたデジタル音声信号はサウンドシステム（１０）に入力される。このサウンドシステム（１０）はパワーアンプを備え、入力されたデジタル信号をアナログ信号に変換して増幅し、スピーカ（１１）から伴奏楽音と歌唱音声を放音する。
【００１８】
また、Ａ／Ｄコンバータ（１２）によってデジタル信号に変換された歌唱音声信号は、ボーカルアダプタ（１３）にも入力される。このボーカルアダプタ（１３）は、入力された歌唱音声信号から歌唱周波数を採取すると共に、中央制御手段（２）の楽曲シーケンサ（１９）から入力されたリファレンスの周波数を採取する。そして、この歌唱周波数とリファレンス周波数を同期させ、所定時間毎に区切って中央制御手段（２）に入力すると、歌唱力採点手段（２３）をもって歌唱力の採点を行うこともできる。なお、歌唱力採点のリファレンスとしては、通常、楽曲に含まれるガイドメロディデータが用いられる。
【００１９】
次に、図２のハードディスク（４）に記録されている背景映像データ（図示省略）は、ＭＰＥＧ（Moving Picture Experts Group）形式にエンコードされており、中央制御手段（２）の背景映像再生手段（図示省略）により再生処理を行い、これを読み出してＭＰＥＧデコーダ（１４）に入力する。このＭＰＥＧデコーダ（１４）は、入力されたＭＰＥＧデータをＮＴＳＣ（National Television System Committee）の映像信号に変換して合成回路（１５）に入力し、この合成回路（１５）は、この背景映像の映像信号上に歌詞テロップや採点表示などのＯＳＤを合成し、合成された映像信号をディスプレイ装置（７）に表示する。
【００２０】
リモコン装置（６）には、液晶ディスプレイ（通称「ＬＣＤ」）が設けられ、このＬＣＤ（Liquid Crystal Display）にはタッチセンサ方式の操作パネルが装着されており、これによりＧＵＩ（Graphical User Interface）環境を提供している。さらに、楽曲コードを予約登録するために使用する発光ダイオードからなる赤外線転送部が設けられ、通常は、充電器とデータの同期処理器を兼用した充電ステーション（通称「クレードル」）に着脱可能に装着接続している。一方、本体側のリモコンインタフェイス（図示省略）は、リモコン装置（６）から送られてくる赤外線信号を受信して、その楽曲コード信号を復元して中央制御手段（２）に入力する。例えば、リモコン装置（６）から楽曲コードが入力される度に、中央制御手段（２）は、この楽曲コードをカラオケ楽曲のリクエストであるとしてシーケンサ（１８）に伝達し、シーケンサ（１８）は、これに応じ、当該楽曲コードで識別される楽曲データをハードディスク（４）の楽曲データ記録エリア（図示省略）から読み出す。
【００２１】
また、このシーケンサ（１８）は主に楽曲シーケンサ（１９）および歌詞シーケンサ（２０）からなっており、楽曲シーケンサ（１９）は楽曲データ中の演奏データトラック、ガイドメロディトラックなどのトラックデータを読み出し、このデータで音源（８）を制御して所定のカラオケ楽曲の演奏を行い、一方、歌詞シーケンサ（２０）は文字パターン作成手段（２１）を備え、楽曲データ中の歌詞トラックのデータを読み出し、このデータに基づいて歌詞テロップの画像パターンを作成し、これを合成回路（１５）に出力する。
【００２２】
歌唱録音手段（１６）は、楽曲データに応じた伴奏楽音信号とミキサ（９）から受け取ったカラオケマイク（５）に入力された歌唱音声との混合信号を入力し、この混合信号をサンプリングしてＰＣＭ（Pulse Code Modulation）データへの変換処理を行う。このＰＣＭデータは、一旦、ＲＡＭ（３）に記録されるが、ハードディスク（４）に記録される歌唱録音データ（２９）は、一般的な携帯電話における歌入着歌メロディの保存データ形式に合わせ、ＭＰ３（MPEG Audio Layer 3）形式に変換して記録される。さらに、利用者ＩＤ（２６）と、当該利用者が歌唱したカラオケ楽曲の楽曲コード（２７）と、当該利用者が指定した歌入着信メロディ対象歌唱区間データ（２８）などが歌唱情報として、ハードディスク（４）に設けられた歌唱情報記録エリアに記録される。
【００２３】
ここで、図３に基づき、区間指定制御手段による歌入着信メロディ対象歌唱区間の指定手順について説明する。演奏が開始されると、前奏中ないし間奏中（Ｓ１）で歌詞文字表示のないＤａに続き、歌詞文字列が表示（Ｓ２）されるＤｂが現れるが、利用者は、Ｄｃに示すように、所望する歌入着信メロディ対象歌唱区間の開示歌詞文字（Ｍｓ）を、その歌詞文字の色変わり直前のタイミングで指示ボタンや指示アイコンといった所定の指定トリガ（区間指定インタフェイス）を押圧することで指定を行う（Ｓ３）。これに続き、Ｄｄに示すように、歌入着信メロディ対象歌唱区間の終了歌詞文字（Ｍｅ）を、その歌詞文字の色変わった直後のタイミングで、開始歌詞文字の指定方法と同様、所定の指定トリガを押圧することで指定を行う（Ｓ４）。こうして指定された歌入着信メロディ対象歌唱区間に対し、録音と採点が行われる。
【００２４】
なお、上記指定トリガ（区間指定インタフェイス）については、図８の区間指定制御手段の区間指定インタフェイスを組み込んだカラオケマイクおよびリモコン装置の概略図に示すように構成するのがよい。先ず、図８の（イ）は、本発明のカラオケ演奏端末が付帯するカラオケマイクである。このマイク（５）には、利用者の歌唱中に歌入着信メロディ対象歌唱区間を指定できるようにするため、利用者がマイクを握った状態で自然に指が触れる位置に押圧式の指示ボタン（５ａ）を設けている。この指示ボタン（５ａ）を区間指定インタフェイスとし、利用者が所望するタイミングでの押圧により、図２における区間指定制御手段（２２）をもって、上述した指定手順により歌入着信メロディ対象歌唱区間が設定される。
【００２５】
次に、図８の（ロ）は、本発明のカラオケ演奏端末が付帯するリモコン装置である。このリモコン装置（６）には、表示手段としてはＬＣＤ（６ｂ）が設けられ、このＬＣＤ（６ｂ）にはタッチセンサ方式でＧＵＩ環境を提供する操作パネル（６ｃ）が装着されている。そして、所定の利用者が歌唱中に、他の利用者がその歌唱を歌入着信メロディとして所望する場合、その歌入着信メロディ対象歌唱区間を指定できるようにするため、所定のモードにて操作パネル（６ｃ）に指示アイコン（６ａ）が表示されるように設定されている。この指示アイコン（６ａ）を区間指定インタフェイスとし、所望するタイミングでの押圧により、図２における区間指定制御手段（２２）をもって、上記（イ）と同様、歌入着信メロディ対象歌唱区間が設定される。
【００２６】
以下、さらに、図４に示す、本発明のカラオケシステムを構成するカラオケホスト装置のブロック構成図と、図５に示す、利用者ＩＤ毎の楽曲別歌唱区間管理テーブルの概念図に基づき、請求項１記載の（オ）および（カ）の構成について詳述する。
【００２７】
図４に示すように、任意のカラオケ演奏端末（Ｐ）において、その利用者認識手段であるＩＣカード読み取り／書き込み装置（３１）にて認識された利用者ＩＤと、当該利用者が歌唱したカラオケ楽曲の楽曲コードと、当該利用者が指定した歌入着信メロディ対象歌唱区間データと、当該歌唱区間の歌唱録音データからなる歌唱情報は、図２において、中央制御手段（２）の統括的処理機能と通信制御手段（１７）の通信制御機能により、カラオケホスト装置（Ｈ）へアップロードされる。なお、本実施例では、この中央制御手段（２）と通信制御手段（１７）をもって、本発明のカラオケ演奏端末のデータアップロード手段を成すものである。
【００２８】
すると、カラオケホスト装置（Ｈ）において、歌唱情報管理手段（４２）は、通信制御手段（４０）を介してアップロードされた歌唱情報を、ハードディスク（４３）に設けられた利用者ＩＤ毎に作成された歌唱情報管理ファイル（４４）に記録する。この歌唱情報管理ファイル（４４）には、利用者ＩＤ（４４ａ）と、当該利用者が歌唱したカラオケ楽曲の楽曲コード（４４ｂ）と、当該利用者が指定した歌入着信メロディ対象歌唱区間データ（４４ｃ）と、当該歌唱区間の歌唱録音データ（４４ｄ）からなる歌唱情報と共に、楽曲別歌唱区間管理テーブル（Ｔ）がそれぞれ設けられている。
【００２９】
この楽曲別歌唱区間管理テーブル（Ｔ）の構成は、図５に示すように、利用者を特定する「利用者ＩＤ」フィールド（ｆ１）に紐付けされた、当該利用者が歌入着信メロディを作成するために歌唱したカラオケ楽曲を特定する「楽曲コード」フィールド（ｆ２）と、各楽曲コードで特定されたカラオケ楽曲毎に設定された歌入着信メロディ対象歌唱区間を特定するためのフィールド、すなわち、前述した開示歌詞文字を演奏経過の相対時間で表す色替えタイミングデータにて特定するための「開始歌詞文字」フィールド（ｆ３）と、これと同様に、上記終了歌詞文字を特定するための「終了歌詞文字」フィールド（ｆ４）と、任意のカラオケ演奏端末から、利用者のダウンロード要求があった場合、当該歌唱録音データを特定したフラグを立てるための「ダウンロード要求フラグ」フィールド（ｆ５）などを主体としている。なお、利用者の指示により、不要となったカラオケ楽曲を削除したり、あるいは、同一楽曲でも、その歌入着信メロディ対象歌唱区間を変えたい場合には、「開始歌詞文字」フィールド（ｆ３）と「終了歌詞文字」フィールド（ｆ４）を変更したりすることもできる。
【００３０】
そして、図４のカラオケホスト装置（Ｈ）において、中央制御手段（４１）の統括的処理機能と通信制御手段（４０）の通信制御機能により、任意のカラオケ演奏端末からの当該利用者のダウンロード要求により、「ダウンロード要求フラグ」フィールド（ｆ５）にフラグが立った歌唱情報から、その歌唱録音データ（４４ｄ）を当該カラオケ演奏端末にダウンロードする。なお、本実施例では、この中央制御手段（４１）と通信制御手段（４０）をもって、本発明のカラオケホスト装置のデータダウンロード手段を成すものである。
【００３１】
以下、図６に示す、歌入着信メロディの供給手順を示す表示画面の変遷図と、図７に示す、図６の表示画面Ｄ６の拡大説明図および、再度、図２に示す、本発明のカラオケシステムを構成するカラオケ演奏端末のブロック構成図に基づき、本発明の請求項１記載の（キ）および（ク）の構成と、請求項２記載の（ケ）の構成について詳述する。
【００３２】
図６のＤ１からＤ８は、それぞれカラオケ演奏端末が付帯するリモコン装置のＬＣＤ表示画面である。なお、これら画面表示は、このＬＣＤと共に、図２におけるディスプレイ装置（７）に表示しても構わない。なお、ディスプレイ装置にはＧＵＩ環境が設定されていないので、ＧＵＩ環境が備えられたリモコン装置が利用できない場合は、カラオケ演奏端末が付帯する操作パネルやキーボードを利用する。
【００３３】
利用者は、先ず、自らの歌入着信メロディの供給を受けるサービスを選択するためのインタフェイス画面（図示省略）からＤ１を表出させる。このＤ１には、「Ｍｙ着歌エントリー」アイコン（５０）が設置され、利用者がこのアイコン（５０）を選択すると歌入着信メロディ供給機能システムが起動してＤ２が表出する。このＤ２には、本コンテンツが有料であることから課金処理を行うための支払い方法が設定されている。本実施例では、支払い方法は二つ指定され、一つは個人ＩＤ認証と共に金銭の授受ができる前払式電子マネー用ＩＣカードを利用する方法で、もう一つは現金を利用する方法である。
【００３４】
具体的には、「ＩＣカード」アイコン（５１）ないし「キャッシュ」アイコン（５２）を選択して支払いを行い、カラオケ演奏端末付帯のＩＣカード読み取り／書き込み装置ないしキャッシュ欄（図示省略）にて審査料が引き落とされる。なお、前払式電子マネー用ＩＣカードを利用する場合には、当該ＩＣカードには課金情報と共にエントリー情報に関するデータも記録することもできる。
【００３５】
料金の支払いを確認するとＤ３が表出する。このＤ３には、利用者が所望するカラオケ楽曲の楽曲コードを指定するための「楽曲コード入力」欄（５３）が設置されており、利用者は、該当コードを入力してから「確定」アイコン（５４）を選択するとＤ４が表出する。このＤ４には、楽曲演奏と共に歌唱録音する旨と、利用者による録音したい歌唱部分の指定、すなわち、利用者が所望する歌入着信メロディ対象歌唱区間の指定を促すメッセージが表示され、所定時間経過後、演奏が開始される。
【００３６】
演奏が終了すると、自動的にＤ５が表出する。このＤ５には、歌入着信メロディ用の歌唱音声の録音が終了した旨と、その歌唱部分を試聴できる旨を含めたメッセージが表示されると共に、「試聴」アイコン（５５）が設置されており、このアイコン（５５）を選択すると、図２における試聴制御手段（３２）は、当該歌唱録音データを再生演奏するように制御する。さらに、このＤ５には「採用」アイコン（５６）が設置され、利用者がこのアイコン（５６）を選択すると、利用者ＩＤ、楽曲コード、歌入着信メロディ対象歌唱区間データ、および当該歌唱区間の歌唱録音データからなる歌唱情報が、カラオケ演奏端末からカラオケホスト装置にアップロードされ、前述した歌唱情報管理ファイルが更新され、その後、自動的に当該利用者の歌入着信メロディ作成リストの表示画面Ｄ６が表出する。
【００３７】
図７に示すように、このＤ６には、利用者を特定する「利用者ＩＤ」欄（５７）と、利用者が作成した歌入着信メロディの対象カラオケ楽曲を特定する「楽曲コード」欄（５８）と、その歌入着信メロディ対象歌唱区間の歌詞フレーズを部分的に表示した「歌詞フレーズ」欄（５９）と、ダウンロード要求したいものを選択するための「選択」フラグ欄（６０）が設けられている。利用者は所定の歌入着信メロディをダウンロードしたい場合には、その「選択」フラグ欄（６０）にチェックを入れ、さらに、「確定」アイコン（６１）を選択すればよい。
【００３８】
この「確定」アイコン（６１）の選択は利用者のダウンロード要求とされ、当該利用者ＩＤの歌唱情報管理ファイルに記録されている歌唱情報から、その歌唱録音データを当該カラオケ演奏端末にダウンロードする。さらに、図２におけるカラオケ演奏端末（Ｐ）のダウンロードデータ記録手段（２４）をもって、ハードディスク（４）に設けられたダウンロード歌唱録音データ記録エリア（３０）に、当該歌入着信メロディ用の歌唱録音データが記録される。
【００３９】
そして、ダウンロード歌唱録音データが記録されると、自動的に携帯電話への書き込みインタフェイス表示画面であるＤ７が表出する。このＤ７には、歌入着信メロディが書き込み可能である旨と、利用者の携帯電話からのアクセス要請のメッセージが表示される。そして、利用者が「書き込み開始」アイコン（６２）を選択し、その携帯電話からアクセスすると、歌入着信メロディ用の歌唱音声データが転送される。なお、本実施例では、ブルートゥース機構（ピコネット）を採用しているため、カラオケ演奏端末と携帯電話間では、先ず、チャレンジ・レスポンス方式にて認証が行われ、認証後、データ転送が行われる。そして、データ転送が終了するとＤ８が表出し、このＤ８には、サービスの終了を示すメッセージが表示される。
【００４０】
ここで、図２に基づき、歌入着信メロディの携帯電話へのデータ転送方法について説明する。転送制御手段（２５）は、ダウンロード歌唱録音データ記録エリア（３０）に記録された歌唱録音データを、所定の携帯電話（Ｍ）に転送可能とするように制御する。そして、本実施例では、転送制御手段（２５）は、ＭＰ３形式の歌唱録音データを所定の携帯電話（Ｍ）に対し、近距離無線通信手段であるブルートゥース（blue tooth）機構のアドホック接続を利用し、カラオケ演奏端末（Ｐ）をマスタとし、一方、携帯電話（Ｍ）をスレイブとなるようにピコネットを形成して転送させるものであるが、本発明はこれに限らず、例えば、ＩｒＤＡ（InfraRed Data Association）方式の無線ＬＡＮ機構などを利用しても構わない。
【００４１】
以上、詳述したように、本発明の歌入着信メロディ供給機能を有するカラオケシステムによれば、利用者が歌入着信メロディとして所望する歌唱部分について、これを容易かつ効率的に指定できることから、利用者が自分好みの楽曲の歌入着信メロディを独自にアレンジでき、また、その歌入着信メロディ対象歌唱区間の歌唱録音データを、利用者毎にカラオケホスト装置にて一括管理でき、当該ホスト装置にネットワーク接続された任意のカラオケ演奏端末にて、これを歌入着信メロディとして効率良く供給できるものである。
【図面の簡単な説明】
【００４２】
【図１】本発明のカラオケシステムのネットワーク構成図。
【図２】本発明のカラオケシステムを構成するカラオケ演奏端末のブロック構成図。
【図３】歌入着信メロディ対象歌唱区間の指定手順を示す表示画面の変遷図。
【図４】本発明のカラオケシステムを構成するカラオケホスト装置のブロック構成図。
【図５】利用者ＩＤ毎の楽曲別歌唱区間管理テーブルの概念図。
【図６】歌入着信メロディの供給手順を示す表示画面の変遷図。
【図７】図６の表示画面Ｄ６の拡大説明図。
【図８】区間指定インタフェイスを組み込んだカラオケマイクおよびリモコン装置の概略図。
【符号の説明】
【００４３】
１  歌入着信メロディ供給機能を有するカラオケシステム
２  中央制御手段
４  ハードディスク
５  カラオケマイク
６  リモコン装置
１６  歌唱録音手段
１７  通信制御手段
２２  区間指定制御手段
２３  歌唱力採点手段
２４  ダウンロードデータ記録手段
２５  転送制御手段
２６  利用者ＩＤ
２７  楽曲コード
２８  歌入着信メロディ対象歌唱区間データ
２９  歌唱録音データ
３０  ダウンロード歌唱録音データ
３１  利用者認識手段
４２  歌唱情報管理手段
４４  歌唱情報管理ファイル
Ｈ  カラオケホスト装置
Ｐ  カラオケ演奏端末
Ｎ  ネットワーク通信回線
Ｔ  楽曲別歌唱区間管理テーブル
Ｍ  携帯電話
【図１】
2006017760.tif 000003
【図２】
2006017760.tif 000004
【図３】
2006017760.tif 000005
【図４】
2006017760.tif 000006
【図５】
2006017760.tif 000007
【図６】
2006017760.tif 000008
【図７】
2006017760.tif 000009
【図８】
2006017760.tif 000010